(57)【要約】      （修正有）【課題】安価でありながら、使い勝手の良いマウスガードを提供する。【解決手段】マウスガード１０は、不織布を素材とするガード部材２０と、ゴム紐３０とを有し、ガード部材２０は、主面部２１と副面部２２とを備え、主面部２１に対して副面部２２を折れ線で折り曲げて一部を接合することによって形成されており、ユーザー５０の顔に装着したときに、副面部２２がユーザー５０の顎５１の下面に当接し、主面部２１がユーザー５０の顎５１の前面に当接する。これにより、ユーザー５０の会話を妨げることなく、唾液の飛散を抑制することができる。【選択図】図４
0003228794.tif 000002
【実用新案登録請求の範囲】
【請求項１】
不織布を素材とするガード部材と、ゴム紐とを有し、
前記ガード部材は、折れ線を境界とする主面部と副面部とを備え、前記折れ線で前記主面部と前記副面部とを折り曲げた状態で、前記主面部と前記副面部の側縁近傍の一部が接合されており、
前記ゴム紐をユーザーの耳に引っ掛けて前記ユーザーの顔に装着したときに、前記副面部が前記ユーザーの顎の下面に当接し、前記主面部が前記ユーザーの顎の前面に当接することを特徴とするマウスガード。
【請求項２】
前記主面部に対して前記副面部の一部が溶着され、前記一部に前記ゴム紐の端部が融着されていることを特徴とする請求項１に記載のマウスガード。
【請求項３】
前記マウスガードを前記ユーザーの顔に装着したときに、前記主面部は、前記ユーザーの唇または前記ユーザーの鼻に接しないように、斜め前側に向かって延在することを特徴とする請求項１または２に記載のマウスガード。
【請求項４】
前記主面部と前記副面部は、前記折れ線に向かうに従って幅が狭くなっていることを特徴とする請求項１〜３のいずれか一項に記載のマウスガード。
【考案の詳細な説明】
【技術分野】
【０００１】
本考案は、マウスガードに関する。
【背景技術】
【０００２】
飲食店や販売店などの接客業の現場で、透明プラスチック製のマウスガードを従業員が装着して接客を行うことがある。このようなマウスガードを装着することで、装着者が会話した際に唾液が周囲に飛散することを抑制できる。また、新型肺炎を引き起こすコロナウィルス等は、唾液の飛沫を介して感染することが知られており、マウスガードを装着することで、コロナウィルス等の感染をある程度防止することも期待される。
【０００３】
このようなマウスガードの一例が、特許文献１に開示されている。特許文献１のマウスガードは、合成樹脂からＵ型に湾曲して成型され、後方両側端には、着用者の耳に掛けるか、後頭に嵌着される支持手段が備えられる下部ボディと、前記下部ボディの前方上側から斜め上向きに形成され、着用者の口や鼻を含む呼吸器が露出されるように呼吸器の周辺前方をカバーする呼吸器前方カバー体と、を含んで構成される。
【先行技術文献】
【特許文献】
【０００４】
【特許文献１】特表２０１１−５００２６２号公報
【考案の概要】
【考案が解決しようとする課題】
【０００５】
しかしながら、特許文献１のマウスガードは、合成樹脂から形成されているために、構造が複雑となり、製造コストがかかるという問題がある。これに対し、特許文献１において従来技術として記載されている衛生マスクは、不織布からなる遮蔽部を顎に装着して斜め上向きに延在させることで、唇や鼻との間に隙間ができ、呼吸や会話が容易になるとされている。
【０００６】
しかしながら、特許文献１において指摘されているように、従来技術としての衛生マスクは、遮蔽部が自立した状態で斜め上を向くように、例えば塑性変形可能なアルミニウム製の芯材を遮蔽部の両側に配置しているために製造コストがかかり、さらに廃棄時には芯材と遮蔽部とを分別しなくてはならず手間がかかる。また、外力で芯材が変形したような場合、使用者の手で元の形状に戻さなくてはならないといった不具合もある。
【０００７】
本考案は、かかる従来技術の問題点に鑑みてなされたものであり、安価でありながら、使い勝手の良いマウスガードを提供することを目的とする。
【課題を解決するための手段】
【０００８】
本考案のマウスガードは、
不織布を素材とするガード部材と、ゴム紐とを有し、
前記ガード部材は、折れ線を境界とする主面部と副面部とを備え、前記折れ線で前記主面部と前記副面部とを折り曲げた状態で、前記主面部と前記副面部の側縁近傍の一部が接合されており、
前記ゴム紐をユーザーの耳に引っ掛けて前記ユーザーの顔に装着したときに、前記副面部が前記ユーザーの顎の下面に当接し、前記主面部が前記ユーザーの顎の前面に当接することを特徴とする。
【考案の効果】
【０００９】
本考案によれば、安価でありながら、使い勝手の良いマウスガードを提供することができる。
【図面の簡単な説明】
【００１０】
【図１】図１は、本実施形態にかかるマウスガードの正面図である。
【図２】図２は、本実施形態にかかるマウスガードの斜視図である。
【図３】図３は、本実施形態にかかるマウスガードを分解して示す図である。
【図４】図４は、本実施形態にかかるマウスガードを着用した状態を示す図である。
【考案を実施するための形態】
【００１１】
以下、図面を参照して本考案の実施形態について説明する。図１は、本実施形態にかかるマウスガードの正面図である。図２は、本実施形態にかかるマウスガードの斜視図である。
【００１２】
図に示すように、マウスガード１０は、１枚の不織布から形成されたガード部材２０と、耳掛け用の一対のゴム紐３０とから形成される。ガード部材２０は、主面部２１と、副面部２２とを有する。
【００１３】
マウスガード１０の製造方法について説明する。図３は、本実施形態にかかるマウスガードを分解して示す図である。例えばナイロンやポリプロピレン繊維を素材とする不織布を切り抜くことで、図３に示すガード部材２０を形成することができる。ガード部材２０は、折れ線２３を境界として主面部２１と副面部２２とに分かれている。
【００１４】
主面部２１は、台形形状と半楕円形状を組み合わせた形状を有する。具体的には、主面部２１は、折れ線２３から上方に向かって最大幅位置２４まで漸次幅が拡大し、最大幅位置２４からさらに上方は半楕円形状を形成するように、幅が減少している。
副面部２２は、下方に向かうにつれて幅が拡大する台形形状を有する。副面部２２の最大幅位置２５は、下縁位置であって、最大幅位置２４、２５における最大幅Ａは略等しい。
【００１５】
主面部２１および副面部２２の最大幅Ａは、１６０ｍｍ以上、２２０ｍｍ以下であると好ましく、より好ましくは１９０ｍｍである。主面部２１の高さＢは、９０ｍｍ以上、１２０ｍｍ以下であると好ましく、より好ましくは１０５ｍｍである。
副面部２２の高さＣは、４０ｍｍ以上、６０ｍｍ以下であると好ましく、より好ましくは４８ｍｍである。
【００１６】
ゴム紐３０は、例えばナイロンまたはポリエステル糸から形成され、ある程度の伸縮性を有する。なお、ガード部材２０、ゴム紐３０の素材は以上に限定されない。
【００１７】
図３に示すガード部材２０を、折れ線２３で折り曲げ、最大幅位置２４，２５が重なるようにして、主面部２１の面に副面部２２を密着させる。かかる状態を維持しつつ、副面部２２の最大幅位置２５の近傍（側縁近傍の一部）を、超音波溶着器などを用いて主面部２１に溶着する。なお「側縁近傍」とは、例えば副面部２２の幅方向側縁から１０ｍｍ以内である。また、最大幅位置２５と溶着部との距離が０〜５ｍｍであるとより好ましい。
このとき、溶着と同時にゴム紐３０の端部を溶着部に押し付けて介入させることで、その端部が副面部２２に融着され、ゴム紐３０をガード部材２０に固定することができる。
以上により、図１，２に示すマウスガード１０が完成する。
【００１８】
図４は、本実施形態にかかるマウスガード１０を着用した状態を示す図である。図２に示すように、主面部２１と副面部２２は、最大幅位置２４，２５の近傍以外では接着されていないため、副面部２２の中央を後方（ガード部材２０が開放する方向）に引っ張ると、主面部２１との間に空間ができる。
【００１９】
そこで、マウスガード１０を着用しようとするユーザー５０は、副面部２２の中央を後方に引っ張りながら、主面部２１との間に生じた空間に、自身の顎５１を挿入する。さらに、ゴム紐３０をユーザー５０の両耳５２にそれぞれ引っ掛けると、ゴム紐３０の張力でマウスガード１０が、ユーザー５０の顔面に向かって押し付けられる。
【００２０】
このとき、副面部２２がユーザー５０の顎５１の下面に当接することにより、ガード部材２０を上下方向に固定支持し、また主面部２１の下部が顎５１の前方に当接することにより、ガード部材２０を前後方向に固定支持する。これによりマウスガード１０がユーザー５０の顔面に対して位置決めされ、主面部２１は顎５１から斜め前側に（すなわち主面部２１の上端が前方に倒れて顔面から離間するように）延在するようになる。
【００２１】
装着のために副面部２２の中央を後方に引くことによって、主面部２１の中央に対して最大幅位置２４が後方に引かれ（突出し）、それにより主面部２１は曲面状に撓んだ状態に強制されるため、薄い不織布であっても自立可能な剛性が付与される。これにより、主面部２１の上端は、図４に示すように、ユーザー５０の鼻５３の先端付近に安定した状態で位置する。
【００２２】
かかる装着状態で、主面部２１はユーザー５０の唇に接しないため、ユーザー５０の会話を妨げることがなく、また、主面部２１とユーザー５０の鼻５３との間に空間が形成され、ユーザー５０の鼻呼吸を妨げることもない。
【００２３】
マウスガード１０を装着したユーザー５０が会話をした場合などにおいて、ユーザー５０の口５４から飛散する唾液は、ほとんど主面部２１に付着するため外部への飛散を防止できる。これにより衛生環境を確保できる。
【００２４】
本実施形態のマウスガード１０は、不織布とゴム紐のみから形成されており、比較的安価であるため、使用するごとに交換してもユーザーの負担は少ない。また、金属片やプラスチック片を含んでいないため、マウスガード１０を廃棄する際に分別作業が不要で、取り扱いが容易である。
【００２５】
本考案は上記した実施の形態に限定されるものではなく、様々な変形例が含まれる。上記した実施の形態は本考案を分かりやすく説明するために詳細に説明したものであり、必ずしも説明した全ての構成を備えるものに限定されるものではない。
【符号の説明】
【００２６】
１０    マウスガード
２０    ガード部材
２１    主面部
２２    副面部
２３    折れ線
２４    最大幅位置
２５    最大幅位置
３０    ゴム紐
５０    ユーザー
【図１】
0003228794.tif 000003
【図２】
0003228794.tif 000004
【図３】
0003228794.tif 000005
【図４】
0003228794.tif 000006